(57)【要約】      （修正有）【課題】分解、組立が容易にできる板材収納枠を提供すること。【解決手段】板材収納枠は、対向して配置された一対のガイドレールユニット２、３と、該ガイドレールユニット２，３の対向する両端を連結する連結材４よりなり、ガイドレールユニットは平行な支持溝６を複数有して該支持溝が内面に互いに向き合うように配置され、前記ガイドレール内面には形材が嵌め込まれており、さらに前記連結材４は前記形材の対向する両端で形材に連結され、この連結のため、連結材の両端に、一端にブロックを取り付けたシャフトの他端にピンを介して枢着されるコーナーレバー２３を配設し、外周にカム面を有するコーナーレバーの揺動操作によりシャフトを引き上げた際に、形材内に挿入されたブロックを形材の内側に圧接するようスライドさせるガイド手段を形材内に設けたものである。【選択図】図１
2007182239.tif 000002
【特許請求の範囲】
【請求項１】
対向して配置された一対のガイドレールユニットと、前記ガイドレールユニットの対向する両端を連結する連結材よりなる板材収納枠において、ガイドレールユニットは、平行な支持溝を複数形成して内面に支持溝が互いに向き合うように配置しているガイドレールとガイドレールの外面を支持する形材からなり、前記連結材は前記形材の対向する両端で形材に連結され、この連結のため、連結材の両端に、一端にブロックを取り付けたシャフトの他端にピンを介して枢着されるコーナーレバーを配設し、外周にカム面を有するコーナーレバーの揺動操作によりシャフトを引き上げた際に、形材内に挿入されたブロックを形材の内側に圧接するようスライドさせるガイド手段を形材内に設けた板材収納枠。
【請求項２】
前記ガイド手段は、連結材を構成する溝形材が嵌め込まれる溝形材部を備えたコーナージョイントに、溝形材部に垂直にシャフトが挿入される筒状部を設け、該筒状部の先端に傾斜ガイド部を設け、筒状部の先端（傾斜ガイド部）から突出したシャフトの先端に取り付けられた前記ブロックには前記傾斜ガイド部に向き合う面に傾斜ガイド部の傾斜に合わせて傾斜を形成した請求項１記載の板材収納枠。
【請求項３】
前記シャフトの一端には、ブロックを取り付けるための雄ネジを形成し、ブロックには前記シャフトの雄ネジを取り付けるネジ部を設けた請求項１または請求項２に記載の板材収納枠。
【請求項４】
前記連結材は、前記溝形材と該溝形材に嵌合する他の溝形材よりなり、２つの溝形材を相互に動かして連結材の長さを調節することができる請求項１ないし請求項３のいずれか一項に記載の板材収納枠。
【発明の詳細な説明】
【技術分野】
【０００１】
本発明は、各種電気・電子機器に組み込まれるプリント基板や、その他の産業分野で使用される板材を搬送や保管のため収納する板材収納枠に関する。
【背景技術】
【０００２】
従来から、プリント基板のような板材の輸送や保管をするものとして、平行溝が多数形成されてなる一対の側板を枠または箱の内面に溝が互いに向き合うように配置し、相対する溝に板材の対となる縁を挿入して、プリント基板同士が互いに接触しないように所定の間隔で収納し、搬送したり、一時的に保管する収納枠や箱が多用されている。
【０００３】
例えば、特許文献１（実開昭５８−９０００）に開示された考案は、対向して配置された一対の枠板組立体と、前記の枠板組立体の対向する両端を連結する一対の連結材よりなる板片収納枠体において、連結材は、板枠組立体を構成する形材の対向する両端で形材にネジで止めて連結されるように構成されている。また、この連結材は、２本の溝形材よりなり、連結材の長さを調節できるように考案されていた。
【０００４】
一方、従来の収納枠や箱は使用していない保管時に収納枠や箱の大きさ分のスペースをとるため、省スペースの収納枠や箱が望まれていた。近年プリント基板は益々小さくなる傾向にあり、特許文献１に示したように連結材の長さを調節できるものは連結材の長さをミニマムにすることにより、多少省スペースにすることはできたが、ある程度の保管スペースを必要としたため、より省スペースの収納枠や箱が望まれていた。
【０００５】
【特許文献１】実開昭５８−９０００
【発明の開示】
【発明が解決しようとする課題】
【０００６】
従来の収納枠や箱のうち、特許文献１に示したようなネジを使用して固定して組み立てたものは、不要な時にユニットに分解して、必要な時に再度組み立てることも可能ではあったが、全てのネジを外して分解したり、あるいは分解したものを再組立する場合にネジで固定する作業に時間がかかり、煩雑さが残る欠点があった。また、分解した時にネジ等の部品を紛失することがあった。
【０００７】
本発明は、上記従来技術の問題点を解消することをその課題とするものであり、分解、組立が容易にできる板材収納枠を提供することをその目的とするものである。
【課題を解決するための手段】
【０００８】
本発明はこの目的を達成するため次のような構成を採用している。
【０００９】
つまり、本発明の板材収納枠は、対向して配置された一対のガイドレールユニットと、前記ガイドレールユニットの対向する両端を連結する連結材よりなる板材収納枠において、ガイドレールユニットは、平行な支持溝を複数形成して内面に支持溝が互いに向き合うように配置しているガイドレールとガイドレールに嵌め込まれる形材からなり、前記連結材は前記形材の対向する両端で形材に連結され、この連結のため、連結材の両端に、一端にブロックを取り付けたシャフトの他端にピンを介して枢着されるコーナーレバーを配設し、外周にカム面を有するコーナーレバーの揺動操作によりシャフトを引き上げた際に、形材内に挿入されたブロックを形材の内側に圧接するようスライドさせるガイド手段を形材内に設けたものである。
【００１０】
この構成によれば、コーナーレバーの揺動操作により、形材の内側にブロックを圧接して連結材とガイドレールユニットを固定したり、逆にその圧接を緩めて連結材とガイドレールユニットとの固定を解除したりすることができる。
【００１１】
また、前記ガイド手段は、連結材を構成する溝形材が嵌め込まれる溝形材部を備えたコーナージョイントに、溝形材部に垂直にシャフトが挿入される筒状部を設け、該筒状部の先端に傾斜ガイド部を設け、筒状部の先端（傾斜ガイド部）から突出したシャフトの先端に取り付けられた前記ブロックには前記傾斜ガイド部に向き合う面に傾斜ガイド部の傾斜に合わせて傾斜を形成した構成にすることが望ましい。
【００１２】
この構成によれば、前記ガイド手段は、前記ブロックには前記傾斜ガイド部に向き合う面に傾斜ガイド部の傾斜に合わせて傾斜を形成しているので、コーナーレバーの揺動操作により、ブロックは前記傾斜ガイド部に沿ってスライドすることができる。
【００１３】
前記シャフトの一端には、ブロックを取り付けるための雄ネジを形成し、ブロックには前記シャフトの雄ネジを取り付けるネジ部を設けることが望ましい。
【００１４】
この構成によれば、ネジを回してコーナーレバーを揺動操作することにより、ブロックを傾斜ガイド部に沿ってスライドさせて、形材に圧接させたり、その圧接を緩めたりすることができるので、分解、組立が容易にできる板材収納枠を提供することができる。
【００１５】
前記連結材は、前記溝形材と該溝形材に嵌合する他の溝形材よりなり、２つの溝形材を相互に動かして連結材の長さを調節することができる構成とすることが望ましい。
【発明の効果】
【００１６】
この構成によれば、コーナーレバーを揺動操作することにより、形材にブロックを圧接して連結材とガイドレールユニットを固定したり、逆にその圧接を緩めて連結材とガイドレールユニットとの固定を解除したりすることができるので、分解、組立が容易にできる板材収納枠を提供することができる。
【発明を実施するための最良の形態】
【００１７】
次に本発明に係る板材収納枠の実施の形態（以下、実施例という）を図面に基づいて説明する。
【実施例１】
【００１８】
図１は本発明実施例の板材収納枠の正面図であり、図２は図１の側面図であり、図３は図１の平面図であり、図４はガイドレールユニットを示す右側面図であり、図５は連結バーユニットと、ガイドレールユニットを分解して示す正面図であり、図６と図７はコーナーレバーの動作を拡大して示す正面図であり、図６はロック前を、図７はロック後を示す。
【００１９】
図１，図２，図３に示したように、本発明実施例の板材収納枠１は、対向して配置された一対のガイドレールユニット（側板）２，３と、前記ガイドレールユニット（側板）２，３の対向する両端を連結する一対の連結材４よりなる。
【００２０】
ガイドレールユニット（側板）２，３を構成する単位板５は、図１，図５に示すように内面に多数の平行溝６が形成されているとともに、図３に示すように平行溝６の一端に内向きに段（ストッパー）７が形成されている。また、図４に示すようにこの単位板５の外面には互いに向き合った一対の鉤形片８，９が上下にそれぞれ突設されていて略ハット形の形材１０（筒状）のフランジが鉤形片８，９に嵌込むようになっている。つまり、単位板５の外面を形材１０で連続して支持されている。図  ではガイドレールユニット２，３は、２枚の単位板５から構成されているが、収納する板材の枚数に応じて単位板５を増減すれば良い。
【００２１】
連結材４は、溝形材１１と溝形材１１に嵌合する他の溝形材１２よりなり、溝形材１１に取付孔、溝形材１２に長孔を穿設し、取付孔と長孔を貫通して表と裏から挟圧する固定手段を設けている。溝形材１２上には、長孔と取付孔を貫通して取付孔の裏側にナット１５をネジ止めしたテンションロッド１６をレバー１７の簡単な揺動操作により溝形材１１側に引き寄せたり、離したりできるよう、カム面１８を外周に形成したロックレバー１４がテンションロッド１６とピン１９に結合して設けられている。
【００２２】
図示実施例では、レバー１７を起こした時にテンションロッド１６が溝形材１１から遠ざかり、ナット１５が溝形材１１の裏側から離れてロック解除の状態になり、レバー１７を寝せた時にテンションロッド１６が溝形材１１に近づき、ナット１５が溝形材１１に強く押し当てられてロックの状態となるよう、カム面１８の形状が設計されている。
【００２３】
従って、溝形材１１，１２を相互に動かして連結材４の長さを調節することができ、ロックレバー１４の揺動操作により調節した長さで固定することができる。
【００２４】
連結材４の両端にはコーナージョイント２１が配設されている。このコーナージョイント２１内に一端に雄ネジ部２５を有する雄ネジ付きシャフト２２と雄ネジ付きシャフト２２の雄ネジ部２５と反対側の他端にピン３６にて結合される（枢着される）コーナーレバー２３が配設される。
【００２５】
詳しくは、コーナージョイント２１は、溝形材１１または溝形材１２が嵌め込まれる溝形材部２８と、溝形材部２８に垂直形成される筒状部３０とからなり、溝形材部２８に設けた取付孔を通してネジ止めにより溝形材１１または溝形材１２に固定される（図６、図７参照）。この固定時に溝形材１１または溝形材１２に設けた挿通穴と筒状部３０の内側（空間部）が合うように形成される。
【００２６】
筒状部３０はフレーム１０内側に嵌合する形状であって、筒状部３０内に雄ネジ付きシャフト２２を雄ネジ部２５から挿入した時に雄ネジ部２５が筒状部３０の先端（後述する傾斜ガイド部３１）から外に突出するように形成される。また、筒状部３０の先端には傾斜ガイド部３１が設けられている。
【００２７】
溝形材１１または１２に設けた挿通孔と筒状部３０内に雄ネジ部２５側から挿入した雄ネジ付きシャフト２２の雄ネジ部２５には、ネジ止めされるナット２６を内包したブロック２４が取り付けられる。ナット２６をブロック２４に内包させるにはブロック２４の側面に穴を設けて角ナットを嵌め込めばよい。なお、ナット２６に代えてブロック２４に雌ネジ部を直接形成しても良い。
【００２８】
また、コーナージョイント２１の筒状部３０の傾斜ガイド部３１に向き合うブロック２４の面は、傾斜ガイド部３１の傾斜に合わせて傾斜部３２を形成している。
【００２９】
コーナージョイント２１を固定した連結材１１または連結材１２にコーナーレバー２３等を組込むには、連結材１１または連結材１２の挿入穴とコーナージョイント２１の筒状部３０内にコーナーレバー２３を枢着した雄ネジ付きシャフト２２を雄ネジ部２５から挿入してから、筒状部３０先端から突出した雄ネジ部２５をブロック２４のナット２６にねじ込むと、組立が完成する。コーナーレバー２３は、レバー３３の簡単な揺動操作によりブロック２４を溝形材１１または１２側に引き寄せたり、離したりできるよう、カム面３４を外周に形成しているとともに、雄ネジ付きシャフト２２とピン３６で結合して設けられている。
【００３０】
図示実施例では、レバー３３を起こした時に雄ネジ付きシャフト２２が溝形材１１または１２から遠ざかり、ブロック２４が筒状部３０の先端から離れてロック解除の状態になり、レバー３３を寝せた時に雄ネジ付きシャフト２２が溝形材１１または１２に近づき、ブロック２４が筒状部３０の先端に強く押し当てられて、傾斜ガイド部３１に沿ってブロック２４と筒状部３０は相対的に逆方向に移動して形材１０内で押し広げる力を発生してロックの状態となるよう、カム面３４の形状が設計されている。
【００３１】
また、コーナーレバー２３を立てた状態で回転させることによりブロック２４は引き上げらたり、引き下げられたりする。
【００３２】
本願の板材収納枠１の組立はまず、単位板５を並べてその外面にある鉤形１１，１２に夫々ハット形材１０を差し込むと夫々一枚板のような同形で剛性のガイドレールユニット２，３ができる。形材１０を取り付けたガイドレールユニット２，３はその内側の溝６を向合わせて形材１０の向合った両端を連結材４の両端に取り付けることができるように配置する。
【００３３】
続いて、図５に示したようにあらかじめ連結材４にコーナージョイント２１、コーナーレバー２３、雄ネジ付きシャフト２２、ブロック２４を組み込んだ連結材ユニット２０を、前述のガイドレールユニット２，３と位置を合わせてから、コーナージョイント２０の筒状部３０を形材１０の内側に嵌合するように挿入する。図６に示したよう挿入後、コーナーレバー２３を立てた状態で回転してネジによりブロック２４を引き上げておく。引き上げられたブロック２４は傾斜ガイド部３１の傾斜に沿いスライドし形材１０の内面に押しつけられる。さらに、レバー３３を倒すことによりピン３６を介してブロック２４がさらに引き上げられる。図７に示したようにコーナージョイント２１の筒状部３０とブロック２４は相対的に逆方向にスライドして形材１０内で押し広げる力を発生させ、連結材ユニット２０すなわち連結材４の端部が固定される。同様に各端部を固定して組立が完了する。
【００３４】
以上により組み立てられた板材収納枠１には、相対する溝６に板材の平行両辺縁を差し込むと、板材の挿入縁が段７に当たって板材は板材収納枠１から落脱することを阻止できる。更にロックレバー１９を緩めて溝形材１１，１２を相互に動かして連結材４の長さを調節できるので、巾の異なった板材に即応することができる。
【００３５】
固定して組み立てた板材収納枠１を、不要な時にユニットに分解する場合には、コーナーレバー２３を立ててネジ付きシャフト２２を溝形材１１，１２から遠ざかる方向に移動させることにより、傾斜ガイド部３１の斜面に沿ってコーナージョイント２１の筒状部とブロック２４が移動して形材１０の内面を押しつける力が弱まり、さらにコーナーレバー２３を立てて半回転させるとブロック２４が筒状部３０からさらに遠ざかり形材１０の内面に押しつける力がなくなるので、抵抗無くコ−ナーレバーユニット２０ごと引き上げることができる。同様に各端部の結合を解除することにより、連結材４をガイドレールユニット２，３から分離することができる。
【００３６】
このように、コーナーレバー２３を起こしてネジを少し回すことにより、形材１０とブロック２４の固定が外れて、分解、組立が容易にできる板材収納枠を提供することができる。
【００３７】
なお、本発明は上記実施例に限定されるわけではなく、例えば、上記実施例において、連結材４は、溝形材１１と溝形材１１に嵌合する他の溝形材１２よりなり、ロックレバー１９の揺動操作により、長さ調節が可能なものを示したが、長さ調節が必要ない場合には、図８の平面図に示したように一本の溝形材４０からなるものでも良い。
【００３８】
また、上記実施例において、ガイドレールユニット２，３を構成する単位板５の平行溝６の一端に内向きに段（ストッパー）７が形成されているものを示したが、単位板５は平行溝６の一端に段（ストッパー）７が形成れていないものでも良い。
【図面の簡単な説明】
【００３９】
【図１】本発明実施例の正面図である。
【図２】図１の左側面図である。
【図３】図１の平面図である。
【図４】側板ユニットを示す右側面図である。
【図５】連結バーユニットと、側板ユニットを分解して示した正面図である。
【図６】コーナーレバーの動作を拡大して示すロック前の正面図である。
【図７】コーナーレバーの動作を拡大して示すロック時の正面図である。
【図８】連結バーユニットの別の例を示す平面図である。
【符号の説明】
【００４０】
１    板材収納枠
２    ガイドレールユニット（側板）
３    ガイドレールユニット（側板）
４    連結材
６    平行溝
１０  形材
１１  溝形材
１２  溝形材
１９  ロックレバー
２０  連結材ユニット
２１  コーナージョイント
２２  雄ネジ付きシャフト
２３  コーナーレバー
２４  ブロック
２５  雄ネジ
２６  ナット（ネジ部）
３０  筒状部
３１  傾斜ガイド部
３２  傾斜
３４  カム面
３６  ピン
４０  溝形材
【図１】
2007182239.tif 000003
【図２】
2007182239.tif 000004
【図３】
2007182239.tif 000005
【図４】
2007182239.tif 000006
【図５】
2007182239.tif 000007
【図６】
2007182239.tif 000008
【図７】
2007182239.tif 000009
【図８】
2007182239.tif 000010